(57)【要約】【課題】縦搬送路及びこれに続く横搬送路を有する搬送路全体に対して、回収トナーの付着防止を簡単な構成で実現することを目的とする。【解決手段】横搬送路１２に内装される搬送用コイル１５をその上流側による片持ちで取り付け、横搬送路のパイプ部１２ｂの下流端を開口１２ｃとする。搬送用コイル１５の回転させる共に連接箇所１４を振動させる駆動装置１６が、横搬送路１２の上流側に設けられている。【選択図】  図４
2004361564.tif 000002
【特許請求の範囲】
【請求項１】
クリーナーユニットにより像担持体の表面から除去された残存物をトナー回収タンクに搬送する搬送路を備え、該搬送路が前記クリーナーユニットに連接される縦方向のパイプ部を有する縦搬送路と、該縦搬送路に続き前記トナー回収タンクに向かう横搬送路とを有する画像形成装置において、
前記横搬送路は、横方向のパイプ部と、該横方向のパイプ部に内装される螺旋状搬送部材とを備え、
前記横方向のパイプ部は、その上流側周壁の一部において前記縦方向のパイプ部と連通するべく開口し、且つその下流端が軸方向に開口しており、
前記螺旋状搬送部材は、その下流側においては取り付けられておらず、その上流側において取り付けられたものであり、
また前記横搬送路の上流側端部分に駆動装置が設けられ、
該駆動装置は、前記螺旋状搬送部材を回転させると共に、少なくとも前記縦搬送路のパイプ部と前記横搬送路のパイプ部の連接箇所を振動させるものであることを特徴とする画像形成装置。
【請求項２】
前記駆動装置は、駆動ギアと、
前記螺旋状搬送部材の上流側に接続され、前記駆動ギアからの駆動力により前記螺旋状搬送部材を回転させる回転伝達部と、
前記駆動ギアからの駆動力により、少なくとも前記連接箇所を振動させる振動部とを備え、
前記振動部は、段差部を有するカムと、該カムに当接されるピンと、これらカムとピンを互いに向かって付勢する付勢部材とを備え、
前記駆動ギアは、前記螺旋状搬送部材の軸方向への動きを許容する遊びが設けられたものであり、
前記カム或いは前記ピンに対して付勢される前記ピン或いは前記カムが、前記駆動ギアの駆動力によって回転し、前記カムの段差部に前記ピンが落ち込むことにより発生した振動が、前記駆動ギアを介して前記連接箇所に与えられるものである請求項１に記載の画像形成装置。
【発明の詳細な説明】
【０００１】
【発明の属する技術分野】
本発明は、電子写真プロセスを用いた複写機、ファクシミリ及びプリンタ等の様な、トナー回収機構を備えた画像形成装置に関するものである。
【０００２】
【従来の技術】
一般に複写機等の画像形成装置にはトナー回収機構が設けられており、記録紙に転写されずに像担持体（例えば感光体ドラム）の表面に残存したトナーやその添加剤等といった残存物（以下、回収トナーと称することがある）は、クリーナーユニットにより除去，回収され、続いて搬送路を経てトナー回収タンクに溜められる様になっている。
【０００３】
トナー回収タンクは一般に複写機等の背面側下方位置に設けられており、従って搬送路としては、クリーナーユニットの一端から縦搬送路が延び、これに続く横搬送路よりトナー回収タンクに回収トナーを搬出する方式となっているものが多い。
【０００４】
搬送路における回収トナーの搬送は、上記縦搬送路内では自由落下により降下させ、上記横搬送路内では内装された搬送用コイル（或いは搬送用スクリュー）によってトナー回収タンク側に向けて送り出す様になっている。
【０００５】
ところで縦搬送路においては、上記の様に自由落下させていることから特にスクリュー等の搬送手段を設ける必要はないものの、その内壁に回収トナーが付着して固まり、搬送路を狭くする懸念もあることから、縦搬送路に振動装置を取り付け、この振動によって縦搬送路内壁に付着した回収トナーを振り落とすといった手法のものが提案されている（従来例▲１▼：例えば特許文献１の段落〔００１９〕，〔００２０〕，〔００２２〕、図２，３参照）。
【０００６】
また搬送用コイルを内装した横搬送路においても、横搬送路を側面外壁から打撃して付着回収トナーを崩すものや（従来例▲２▼：例えば特許文献２の段落〔００３５〕〜〔００４０〕，〔００４６〕〜〔００４７〕、図１〜５参照）、搬送用コイル自体を振動させてトナー粗大粒子を粉砕するもの（従来例▲３▼：例えば特許文献３の段落〔０００７〕，〔００２２〕、図１，２参照）が提案されている。尚この従来例▲３▼を詳しく説明すると、搬送路内の搬送用コイルの一方端を回転駆動装置に接続固定し、他方端をカムに当接させたものであり、搬送用コイルが回転することによって、カムの段差部において搬送用コイルに軸方向の振動が加えられるというものである。
【０００７】
【特許文献１】
特開平１１−２４５２４号公報（段落〔００１９〕，〔００２０〕，〔００２２〕、図２，３）
【特許文献２】
特開平１１−３２７３９７号公報（段落〔００３５〕〜〔００４０〕，〔００４６〕〜〔００４７〕、図１〜５）
【特許文献３】
特開平７−３３４０５１号公報（段落〔０００７〕，〔００２２〕、図１，２）
【０００８】
【発明が解決しようとする課題】
上記の様に従来においては、回収トナーの付着やこれに伴う詰まりの防止の為に、搬送路のそれぞれの箇所に振動装置や打撃装置を取り付けることが提案されているが、いずれもクリーナーユニットからトナー回収タンクまでの間の長い搬送路の全体について検討したものではなく、部分的な回収トナー付着防止対策である。即ち例えば上記従来例▲１▼では、横搬送路については搬送用コイルを内装させておくことで十分であるとの認識に立っており、縦搬送路に対してのみ振動装置が設けられている。
【０００９】
しかし搬送用コイルが内装された搬送路についても回収トナー付着防止対策が必要なことがある。例えば横搬送路の回収トナー排出口はその下側に位置するトナー回収タンク等に向けて横搬送路下流側の周壁に下に向けて開口する様に設けられているが、搬送用コイルは回収トナーを下流側に向けて真っ直ぐに搬送するから、回収トナーは一旦横搬送路の下流側端面にぶつかってから排出口から出ることになる。この為に下流側端面に回収トナーが付着し、ひいては詰まりの原因となることがある。この様に搬送用コイルが内装された搬送路であっても回収トナーが内壁等に付着することがあるものの、この対策としては上記従来例▲２▼，▲３▼が挙げられる。
【００１０】
そこで縦搬送路と横搬送路が組み合わさった長い搬送路の全体についての回収トナー付着防止策としては、従来例▲１▼の様に縦搬送路には振動装置を取り付け、搬送用コイルを有する横搬送路には従来例▲２▼，▲３▼の様な打撃装置や振動付与手段（カム）を設け、これらによって搬送路全体に対して回収トナーの付着を防止するということが考えられる。しかしこの様にそれぞれの箇所毎に回収トナー付着防止対策を施すとすれば、装置が複雑となり、またコストも嵩むという問題がある。
【００１１】
加えて殊に従来例▲３▼では回収トナーの排出口近傍に搬送用コイルへの振動付与手段（カム）が設けられているから、この振動付与手段自体が回収トナーで汚れ、この為にカムによる振動が上手く与えられなくなる懸念があり、しばしばメンテナンスを必要とする。
【００１２】
そこで本発明においては、縦搬送路及びこれに続く横搬送路を有する搬送路全体に対して、回収トナーの付着防止を簡単な構成で実現でき、しかもメンテナンスの必要が殆どない画像形成装置を提供することを目的とする。
【００１３】
【課題を解決するための手段】
縦搬送路とこれに続く横搬送路を有する搬送路に関して検討したところ、回収トナーの付着し易い箇所は、縦搬送路と横搬送路の連接箇所、及び横搬送路からトナー回収タンクへ投入する際の開口付近（即ち、横搬送路の下流側開口付近）であるとの知見を得た。これらの箇所が付着し易い理由は、上記連接箇所においては、縦搬送路内で縦方向に搬送されていた回収トナーが、連接箇所において横方向に搬送方向が変えられる為に、回収トナーの流れが乱れて滞留するからである。また横搬送路の下流側開口付近においても、横搬送路の周壁下側に設けられた排出口から回収トナーが出る際にトナーの進行方向が変わることに加えて、横搬送路内で横方向に搬送されていた回収トナーが下流側端面にぶつかることになるので、この下流側端面で回収トナーが圧縮される様になるからである。
【００１４】
さてこれらのトナー付着し易い２箇所に着目して回収トナー付着防止対策を講じれば、回収トナー付着に起因する詰まり等は殆ど生じないとの考えられ、これらの箇所に振動装置を取り付けると良いのであるが、これら２箇所は離れている為にそれぞれに取り付けることとなり、装置の簡略化の目的を達成し得ない。
【００１５】
本発明はこの課題を解決して上記２箇所のトナー付着し易い箇所に対して簡単な構成で付着防止対策を施し、搬送路全体について回収トナー付着防止を実現したものである。
【００１６】
斯様な本発明に係る画像形成装置は、クリーナーユニットにより像担持体の表面から除去された残存物をトナー回収タンクに搬送する搬送路を備え、該搬送路が前記クリーナーユニットに連接される縦方向のパイプ部を有する縦搬送路と、該縦搬送路に続き前記トナー回収タンクに向かう横搬送路とを有する画像形成装置において、前記横搬送路が、横方向のパイプ部と、該横方向のパイプ部に内装される螺旋状搬送部材とを備え、前記横方向のパイプ部は、その上流側周壁の一部において前記縦方向のパイプ部と連通するべく開口し、且つその下流端が軸方向に開口しており、前記螺旋状搬送部材が、その下流側においては取り付けられておらず、その上流側において取り付けられたものであり、また前記横搬送路の上流側端部分に駆動装置が設けられ、該駆動装置が、前記螺旋状搬送部材を回転させると共に、少なくとも前記縦搬送路のパイプ部と前記横搬送路のパイプ部の連接箇所を振動させるものであることを特徴とする。
【００１７】
つまり本発明では、第１に、搬送用コイル等の螺旋状搬送部材を回転させる為の駆動機構（駆動装置）を横搬送路の上流側に設けると共に螺旋状搬送部材をその上流側による片持ちで取り付けることによって下流側を解放された状態とし、これにより下流側端面を閉鎖せずに開放可能としたものであり、この様に下流側端面を開放して開口とすることにより、横搬送路の下流側開口付近におけるトナー付着の防止を図っている。そして第２に、上記の如く回転の為の駆動機構を横搬送路の上流側に設けたので、この回転駆動機構と上記連接箇所（縦搬送路と横搬送路の連接箇所）との位置が近くなり、回転駆動機構を利用して上記連接箇所への振動発生機構を構成することが可能となり、その結果、簡単な構成でトナー付着防止が図れるものとなった（尚上記回転駆動機構と上記振動発生機構の両方の機能を有するものとして、駆動装置と称している）。しかも回転や振動の為の駆動装置が横搬送路の上流側に配置されているから、駆動装置が回収トナーによって汚染されて不具合を生じるといったことがなく、従ってメンテナンスを殆ど必要としない。
【００１８】
前記駆動装置としては次のものが挙げられ、即ち前記駆動装置は、駆動ギアと、前記螺旋状搬送部材の上流側に接続され、前記駆動ギアからの駆動力により前記螺旋状搬送部材を回転させる回転伝達部と、前記駆動ギアからの駆動力により、少なくとも前記連接箇所を振動させる振動部とを備え、前記振動部は、段差部を有するカムと、該カムに当接されるピンと、これらカムとピンを互いに向かって付勢する付勢部材とを備え、前記駆動ギアは、前記螺旋状搬送部材の軸方向への動きを許容する遊びが設けられたものであり、前記カム或いは前記ピンに対して付勢される前記ピン或いは前記カムが、前記駆動ギアの駆動力によって回転し、前記カムの段差部に前記ピンが落ち込むことにより発生した振動が、前記駆動ギアを介して前記連接箇所に与えられるものが好ましい態様である。
【００１９】
この様にカムとピン、及びこれらを互いの方向に付勢する付勢材を用いることにより、簡単な構成で振動を発生させることができる。そしてこのカムとピンにより生じた振動は、上記駆動ギアに遊びがあるので該駆動ギアを介して連接箇所に伝えられ、この連接箇所が振動することによりトナー付着が防止される。
【００２０】
更に駆動ギアの振動によって、前記螺旋状搬送部材も振動する構成であることがより好ましく、これにより螺旋状搬送部材に付着した回収トナーも振り落とすことができる。
【００２１】
【発明の実施の形態】
先ず本発明の一実施形態に係る画像形成装置としての複写機の全体について説明する。
【００２２】
図１は該複写機の一例を示す全体断面図である。この複写機は、複写機本体の下部に配設された給紙部１００と、この給紙部１００の側方及び上方に配設された記録紙搬送部２００と、この記録紙搬送部２００の上方に配設された画像形成部３００と、この画像形成部３００よりも排出側に配設された定着部４００と、これらの画像形成部３００および定着部４００の上方に配設された光学系部材等からなる画像読取部５００を備えている。
【００２３】
給紙部１００は、４つの給紙トレイ１１１のうちの選択された給紙トレイ１１１内から、最上位置の記録紙１１５を１枚ずつ記録紙搬送部２００に給紙するようになっている。記録紙搬送部２００は、給紙部１００から給紙された記録紙１１５を各種ローラ対２０２，２０３によって画像形成部３００に向けて搬送し、さらに画像形成部３００から定着部４００において画像形成がなされた記録紙１１５を排出ローラ対２０５によって排出トレイ２０４上に排出するようになっている。
【００２４】
画像形成部３００は、回転可能に軸支された光導電性を有する感光体ドラム（像担持体）３０１と、この感光体ドラム３０１の周囲にその回転方向に沿って、帯電ユニット３０２、露光ユニット３０３、現像ユニット３０４、転写ユニット３０５、クリーナーユニット３０６および除電ユニット３０７を備えている。尚帯電ユニット３０２は、感光体ドラム３０１の表面に所定電位を与えるものであり、この電位を、露光ユニット３０３から照射したレーザ光により選択的に減衰させて、感光体ドラム３０１の表面に静電潜像を形成する。そしてこの静電潜像を現像ユニット３０４により現像して、感光体ドラム３０１の表面にトナー像を形成する。続いて感光体ドラム３０１の表面のトナー像を転写ユニット３０５により記録紙１１５に転写する。クリーナーユニット３０６は、転写後の感光体ドラム３０１の表面に残留しているトナー等の残存物を除去するものであり、除電ユニット３０７は、感光体ドラム３０１の表面の残留電荷を除去するものである。
【００２５】
定着部４００は、画像形成部３００においてトナー像が転写された記録紙１１５を、加熱ローラ４０１と加圧ローラ４０２によって挟んで加熱し、記録紙１１５上にトナー像を定着させるものである。
【００２６】
画像読取部５００は、コンタクトガラス５０１上に載置された原稿に、露光ランプから光を照射し、その反射光を光電変換部に導くことにより、原稿の画像情報を読み取るものである。尚この画像情報が上記露光ユニット３０３に伝えられ、所望の画像が形成される。
【００２７】
図２は上記複写機において、そのクリーナーユニット３０６から搬送路１１，１２を経てトナー回収タンク１３に至るまでの構成を表した正面からの透視図であり、図３は側面から（図２に示す矢印Ｅから）の透視図である。
【００２８】
クリーナーユニット３０６は、感光体ドラム３０１表面の残存トナーを掻き取るゴムブレード３２６と、この掻き取った回収トナーをクリーナーユニット３０６の奥端側に移送する為の移送スパイラル３１６を備え、回収トナーを画像形成装置の背側（図２の奥側，図３の右側）に向けて送る様になっている。
【００２９】
そしてこのクリーナーユニット３０６の奥端部分には回収トナーの縦搬送路１１が接続され、これに続いて横搬送路１２が接続され、この横搬送路１２の下流側がトナー回収タンク１３の天井付近に開口している。
【００３０】
上記縦搬送路１１は内部が空洞となった縦方向のパイプ部１１ｂのみから構成されている。一方横搬送路１２は横方向のパイプ部１２ｂと、これに内装される搬送用コイル（螺旋状搬送部材）１５とから構成され、上記縦方向パイプ部１１ｂの下流端が横方向パイプ部１２ｂの上流側周壁に対して接続されている。上記搬送用コイル１５はその上流側部１５ａにおいて駆動装置１６に接続・固定され、一方下流側は固定されておらず、即ち搬送用コイル１５は上流側部１５ａのみによる片持ちの状態となっている。横方向パイプ部１２ｂの下流側端には開口部１２ｃが形成されており、上記搬送用コイル１５が少なくともパイプ部１１ｂ，１２ｂの連接箇所（接続箇所）１４から上記開口部１２ｃまで延びている。
【００３１】
図４はこの駆動装置１６及び横搬送路１２付近を示す拡大断面図である。モータ（図示せず）からの駆動力は、駆動装置１６の第２の駆動ギア１７を介して第１の駆動ギア１８に伝達される様になっている。これら第１の駆動ギア１８と第２駆動ギア１７には、搬送用コイル１５の軸方向（矢印Ｄ）への動きを許容する遊びが設けられている（尚以下、この遊びを矢印Ｄ方向の遊びと称することがある）。第１駆動ギア１８の軸芯からはその両側に第１の回転軸（回転伝達部）１９と第２の回転軸２９が延びており、第１の回転軸１９には搬送用コイル１５の端部１５ａが接続されている。
【００３２】
また第１の回転軸１９には、パイプ部１２ｂの上流側端より外側の位置においてリング２５が固定されており、このリング２５は第１の回転軸１９と共に矢印Ｄ方向（矢印Ｂ及びＣ）に移動してパイプ部１２ｂの上流側端面１２ｄを打撃できる様になっている。
【００３３】
第２の回転軸２９の端部にはカム２１が取り付けられ、このカム２１の先にはバネ（付勢部材）２２が取り付けられ、更にバネ２２の先にはフレーム２４が取り付けられている。上記カム２１は、図５［カム２１を表す斜視図］に示す様に、その一方端面（ギア１８側の端面）の一部を径方向に切り欠いて周方向の段差をつけ、この段差部２１ｂから徐々に周方向に傾斜をつけた形状となっており、この傾斜面２１ａにピン２３が当接する様になっている。ピン２３は上記フレーム２４に接続されており、上記バネ２２の付勢力（矢印Ａ）によってカム２１の傾斜面２１ａに押し付けられる様になっている。尚段差は１周あたり１個（図５）の他、必要に応じて複数個でも良い。
【００３４】
次に動作について説明する。
【００３５】
モータから伝達された駆動力は第２の駆動ギア１７を介して第１の駆動ギア１８に伝達され、更に第１の回転軸１９に伝達されて搬送用コイル１５を回転させ、パイプ部１２ｂ内の回収トナーをトナー回収タンク１３へ搬送する。
【００３６】
また第１の駆動ギア１８に伝達された回転駆動力は、第２の回転軸２９を介してカム２１を回転させる。カム２１の傾斜面２１ａにはピン２３が当接されているので、回転によって当該カム２１は、バネ２２の付勢力に抗して矢印Ｃ方向へ徐々に押し上げられ、１周回って段差部２１ｂの箇所で急激に落ち込むこととなる（矢印Ｂ）。このカム２１の落ち込みによって生じる振動は、第２の回転軸２９を介してギア１８に伝えられ、該ギア１８は矢印Ｄ方向に遊びがあるので更にこの振動が第１の回転軸１９に伝えられ、第１の回転軸１９に固定されたリング２５が横搬送路のパイプ部１２ｂの上流側端面１２ｄを叩き、パイプ部１２ｂ全体、及び縦搬送路のパイプ部１１ｂの下端付近を振動させる。
【００３７】
この振動により、パイプ部１１ｂ，１２ｂの連接箇所１４やパイプ部１２ｂの内壁に付着した回収トナーを振り落とすことができる。殊にパイプ部１１ｂ，１２ｂの連接箇所１４は縦搬送路１１から落下してきた回収トナーが付着しやすい箇所であるから、この箇所を振動させて付着回収トナーを落とすことができることは有効である。
【００３８】
更に第１の回転軸１９が矢印Ｄ方向に振動することにより搬送用コイル１５も矢印Ｄ方向（軸方向）に振動し、搬送用コイル１５自身に付着した回収トナーを振り落とすこともできる。
【００３９】
尚カム２１の回転速度としては９０〜４００回転／分が推奨され、本実施形態においては１８０回転／分で回転させる。
【００４０】
次に横搬送路１２について説明すると、搬送用コイル１５は上流側部１５ａのみで支持された構成であるから、搬送用コイル１５の下流側部１５ｅは解放された状態となり、そのまま真っ直ぐ向かったパイプ部１２ｂの下流側端を開口部１２ｃとすることができる。その結果、搬送用コイル１５によって搬送された回収トナーはその搬送方向のまま移動してトナー回収タンク１３内に収容され、トナー付着の虞が低減される。尚上記従来例▲３▼では搬送用コイルに対してカムを当接させる構成であるから、搬送用コイルの両端を支持する必要があったが、本実施形態では搬送用コイル１５自身にはカムを当接させないので、搬送用コイル１５の下流側端を全く支持しない片持ちの構成とすることができた。
【００４１】
以上の様に本実施形態は、搬送路全体を見極めてトナー付着防止対策を施したものでありながらも、搬送用コイル１５の回転駆動や連接箇所１４等への振動付与機構を全て横搬送路１２の上流側に集めているので、構成がシンプルであり、また横搬送路１２上流側はトナー汚染の懸念が殆どないのでメンテナンスも殆ど行わなくて済む。
【００４２】
＜検討１：バネ２２の指定荷重についての検討＞
各種の指定荷重のバネを用い、振動音の発生状況（静音）、及び搬送路内壁に付着した回収トナーの落下量（回収トナー落下量）について検討を行った。尚実験に際して使用した搬送用コイル１５のスパイラルピッチは１２ｍｍであり、カム２１の段差部２１ｂの高さは０．７ｍｍである。
【００４３】
その結果を表１に示す。尚「静音」については、振動音が殆ど無い場合を○とし、少々振動音がする場合を×とした。また「回収トナー落下量」については、付着回収トナーが良好に落下した場合を○とし、やや搬送路内壁に残るものの概ね落下した場合を△、搬送路内壁に残る場合を×とした。「判定」については、非常に良好を◎、良好を○、やや不良を△、不良を×とした。
【００４４】
【表１】
2004361564.tif 000003
【００４５】
表１から分かる様に、振動音の観点からは実験Ｎｏ．１〜３の様にバネ指定荷重の小さいものが良く、実験Ｎｏ．４の様に指定荷重が０．５Ｎでは良くなかった。また回収トナー落下量の観点からは実験Ｎｏ．２〜４の様にバネ指定荷重の大きいものが良く、実験Ｎｏ．１の様に指定荷重が０Ｎでは良くなかった。このことからバネ２２としては付勢力が強いもの程、強く振動を与えることができて良いが、振動音が大きくなることが分かる。この実験結果の傾向からバネの指定荷重に関して総合判定すると、０．２５〜０．４５Ｎが良く、より好ましくは０．３〜０．４Ｎであり、最も好ましくは０．３５Ｎである。
【００４６】
＜検討２：振動幅についての検討＞
カム２１の段差部２１ｂの高さ（切り欠き深さ）が種々異なるカムを用い、連接箇所１４やパイプ部１２ｂの振動量（矢印Ｂ，Ｃ方向の振幅）について検討を行った。尚該振動量は搬送用コイル１５の振動量として表すが、これが大きいとリング２５がパイプ部１２ｂを大きく叩き、連接箇所１４やパイプ部１２ｂが大きく振動することとなる。また本実験に際して使用した搬送用コイル１５のスパイラルピッチは１２ｍｍであり、バネ２２の指定荷重は０．３５Ｎである。
【００４７】
その結果を表２に示す。尚各結果の判定については上記検討１と同じである。
【００４８】
【表２】
2004361564.tif 000004
【００４９】
表２から分かる様に、振動音の観点からは実験Ｎｏ．５〜７の様に振動量の小さいものが良く、実験Ｎｏ．８の様に２ｍｍと大きいものは良くなかった。また回収トナー落下量の観点からは実験Ｎｏ．６〜８の様に振動量の大きいものが良く、実験Ｎｏ．５の様に振動量が０ｍｍのものは良くなかった。この実験結果の傾向から振動量に関して総合判定すると、０．４〜１ｍｍが良く、より好ましくは０．５〜０．９ｍｍであり、最も好ましくは０．７ｍｍである。
【００５０】
＜検討３：振動幅についての検討＞
搬送用コイル１５のスパイラルピッチとして各種の幅のものを用い、このピッチについて検討した。尚実験に際して使用したバネ２２の指定荷重は０．３５Ｎであり、カム２１の段差部２１ｂの高さは０．７ｍｍである。
【００５１】
その結果を表３に示す。尚各結果の判定については上記検討１と同じである。
【００５２】
【表３】
2004361564.tif 000005
【００５３】
搬送用コイル１５のスパイラルピッチとしては、表３から分かる様に実験Ｎｏ．９〜１１のいずれも良いが、実験Ｎｏ．１０，１１の様に１２〜１８ｍｍがより好ましい。このことから搬送用コイル１５のスパイラルピッチは大きい程、搬送性が向上することが分かる。搬送性が向上すると、振動により落下したトナーの排除がスムーズとなるので、落下が停止することがない。尚搬送用コイルの製造にあたってピッチの長いものは真っ直ぐに加工し難く、本実験の場合、スパイラルピッチ１８ｍｍが量産可能なものの限界である。
【００５４】
【発明の効果】
以上の様に本発明に係る画像形成装置によれば、搬送路及びこれに続く横搬送路を有する搬送路全体に対して、回収トナーの付着防止を簡単な構成で実現でき、しかもメンテナンスの必要が殆どない。
【図面の簡単な説明】
【図１】本発明の一実施形態に係る画像形成装置としての複写機の一例を示す全体断面図。
【図２】クリーナーユニットから搬送路を経てトナー回収タンクに至るまでの構成を表した正面からの透視図。
【図３】図２に示す矢印Ｅからの透視図。
【図４】駆動装置及び横搬送路付近を示す拡大断面図。
【図５】カムを表す斜視図。
【符号の説明】
１１  縦搬送路
１１ｂ  縦方向のパイプ部
１２  横搬送路
１２ｂ  横方向のパイプ部
１２ｃ  開口部
１２ｄ  上流側端面
１３  トナー回収タンク
１４  連接箇所
１５  搬送用コイル
１５ａ  上流側部
１５ｅ  下流側部
１６  駆動装置
１７  第２の駆動ギア
１８  第１の駆動ギア
１９  第１の回転軸
２１  カム
２１ａ  傾斜面
２１ｂ  段差部
２２  バネ
２３  ピン
２４  フレーム
２５  リング
２９  第２の回転軸
３０６  クリーナーユニット
【図１】
2004361564.tif 000006
【図２】
2004361564.tif 000007
【図３】
2004361564.tif 000008
【図４】
2004361564.tif 000009
【図５】
2004361564.tif 000010